(57)【要約】      （修正有）【課題】グラビア印刷機で原反に印刷する際に、印刷とインラインで原反に印刷された絵柄に見当を合わせた凹条ないしは凸条の模様からなるエンボス柄を簡単に形成できるエンボス印刷物の製造方法を提供する。【解決手段】グラビア輪転印刷機を使用して、厚さが２５〜１５０ｇ／ｍ2 の紙又は前記紙とアルミニウム箔との積層体からなる原反１０に絵柄を印刷した後に、凹条模様を形成したエンボス版２と圧胴５を所定の硬度を有するエンボス圧胴３を備えた後続のエンボスユニットを使用して、印刷された原反１０をエンボス版２とエンボス圧胴３間を通して加圧することにより、原反１０に印刷された絵柄に見当を合わせてエンボスを行うことを特徴とするエンボス印刷物の製造方法である。【選択図】図３
2007090670.tif 000002
【特許請求の範囲】
【請求項１】
グラビア輪転印刷機を使用して、厚さが２５〜１５０ｇ／ｍ2 の紙又は前記紙とアルミニウム箔との積層体からなる原反に絵柄を印刷した後に、印刷版を凹条模様を形成したエンボス版に圧胴を所定の硬度を有するエンボス圧胴にそれぞれ置き換えた後続のエンボスユニットを使用して、印刷された原反をエンボス版とエンボス圧胴間を通して加圧することにより、原反に印刷された絵柄に見当を合わせてエンボスを行うことを特徴とするエンボス印刷物の製造方法。
【請求項２】
絵柄が印刷された原反の表裏を反転させて原反の印刷面がエンボス圧胴側に接するようにエンボス版とエンボス圧胴間を通しで加圧することを特徴とする請求項１記載のエンボス印刷物の製造方法。
【請求項３】
原反の印刷面に透明樹脂層が形成されていることを特徴とする請求項１または２に記載のエンボス印刷物の製造方法。
【請求項４】
前記エンボス版が、凹条の深さが０．４〜１．０ｍｍであり、凹条の幅が１．０〜１０．０ｍｍであることを特徴とする請求項１〜３のいずれかに記載のエンボス印刷物の製造方法。
【発明の詳細な説明】
【技術分野】
【０００１】
本発明は、グラビア輪転印刷機を使用して原反に印刷する工程とインラインで、印刷された絵柄に見当を合わせて凹条ないしは凸条の模様からなるエンボスを簡単に形成することができるエンボス印刷物の製造方法に関する。
【背景技術】
【０００２】
従来、グラビア輪転印刷機等を使用して基材に印刷する工程とインラインでエンボスを行うエンボス印刷物の製造方法としては、紙とアルミニウム箔を貼り合わせた貼合紙のアルミニウム箔面にグラビア印刷機の印刷ユニットにて絵柄等の印刷を行い、続いてインラインでグラビアシリンダーの表面に微細な凸部を設けてなるエンボスロールを備えたエンボス加工ユニットにて貼合紙のアルミニウム箔面にエンボス加工を施す印刷及びエンボス加工ラベル紙の製造方法（例えば、特許文献１参照）が知られている。
【特許文献１】特開平６−３４４６４９号公報
【０００３】
しかしながら、上記の印刷及びエンボス加工ラベル紙の製造方法の場合、凸部の高さが１００〜３００μｍ程度となるように微細な凸部を設けたグラビアシリンダーからなるエンボスロールを使用して、紙とアルミニウム箔を貼り合わせた貼合紙のアルミニウム箔面にエンボスを形成するものであり、印刷された原反に微細凹凸のエンボスを形成できるが、印刷された原反の絵柄に見当を合わせて凸条ないしは凹条からなるエンボス模様をを形成することができないという欠点がある。また、表面に微細な凸部を設けたエンボスロールを作製するには機械的な加工が必要であり、グラビアエッチング方式では製造が困難であるという欠点を有している。
【発明の開示】
【発明が解決しようとする課題】
【０００４】
本発明の目的は、グラビア輪転印刷機で原反に印刷を行う際に、印刷された原反の絵柄に見当を合わせた凹条ないしは凸条の模様からなるエンボスを印刷とインラインで簡単に形成することができるエンボス印刷物の製造方法を提供することである。
【課題を解決するための手段】
【０００５】
グラビア輪転印刷機を使用して、厚さが２５〜１５０ｇ／ｍ2 の紙又は前記紙とアルミニウム箔との積層体からなる原反に絵柄を印刷した後に、印刷版を凹条模様を形成したエンボス版に圧胴を所定の硬度を有するエンボス圧胴にそれぞれ置き換えた後続のエンボスユニットを使用して、印刷された原反をエンボス版とエンボス圧胴間を通して加圧することにより、原反に印刷された絵柄に見当を合わせてエンボスを行うことを特徴とするエンボス印刷物の製造方法である。
【０００６】
上記のエンボス印刷物の製造方法において、絵柄が印刷された原反の表裏を反転させて原反の印刷面がエンボス圧胴面に接するようにエンボス版とエンボス圧胴間で加圧するものである。
【０００７】
上記のエンボス印刷物の製造方法において、原反の印刷面に透明樹脂層が形成された構成とされているものである。
【０００８】
上記のエンボス印刷物の製造方法において、前記エンボス版が、凹条の深さが０．４〜１．０ｍｍであり、凹条の幅が１．０〜１０．０ｍｍとされているものである。
【発明の効果】
【０００９】
本発明のエンボス印刷物の製造方法では、原反の印刷工程とインラインで、原反に印刷された絵柄に見当を合わせた凸条のエンボスを印刷工程とインラインで簡単に形成することができるので、文字の部分ないしは特定の絵柄の部分を凸条ないしは凹条にエンボスしたラベル、包装紙等として使用できるエンボス印刷物を効率的に低コストで製造することができる。
【００１０】
請求項２に係る発明では、原反に印刷された絵柄に見当を合わせた凹状のエンボスを印刷工程とインラインで簡単に形成することができる。
【００１１】
請求項３に係る発明では、原反に形成された凸条ないしは凹条のエンボス形状の保形性をよくすることができる。
【００１２】
請求項４に係る発明では、原反に凸状ないしは凹状のシャープなエンボスを形成することができる。
【発明を実施するための最良の形態】
【００１３】
以下、図面を引用して本発明の実施の形態を説明する。
図１は本発明のエンボス印刷物の製造方法にて使用するエンボス版を示す斜視図、図２は図１のＩ−Ｉ線表面部拡大断面図、図３は本発明のエンボス印刷物の製造方法の第１実施形態の概略を示す図、図４は第１実施形態の方法にて印刷された原反にエンボスを行った断面図、図５は本発明のエンボス印刷物の製造方法の第２実施形態の概略を示す図、図６は第２実施形態の方法にて印刷された原反にエンボスを行った断面図、図７は第２実施形態のエンボス印刷物の製造方法の他の工程の概略を示す図であって、２はエンボス版、21は凹条、３はエンボス圧胴、４は印刷版、５は圧胴、６はドクターブレード、７はファニッシャーロール、８はインキ、９は原反反転装置、10は原反、11は印刷層、12は透明樹脂層、13はエンボス凸部、14はエンボス凹部、Ｌは凹条の幅、Ｄは凹条の深さを表す。
【００１４】
本発明のエンボス印刷物の製造方法にて使用するエンボス版は斜視図が図１に、Ｉ−Ｉ線表面部拡大断面図が図２にそれぞれ示されているとおりである。実施形態のエンボス版２では、ＤＮＰの模様からなる凹条21が形成されている構成である。印刷された原反にシャープなエンボスを形成するために、エンボス版２に形成される凹条21は、深さＤが０．４〜１．０ｍｍで且つ幅Ｌが１．０〜１０．０ｍｍとされている。凹条21の深さＤが０．４ｍｍより小さいとシャープな凸条ないしは凹条のエンボスが形成できないし、逆に１．０ｍｍより大きいと原反が破れるおそれがある。また、凹条21の幅が１．０ｍｍより小さい場合及び１０．０ｍｍより大きい場合にはシャープな凸条ないしは凹条が形成し難くなる。エンボス版２に形成される凹条21の模様は任意であり、原反に印刷される絵柄の所定箇所に対応するように形成されるものである。エンボス版２の凹条21はグラビアエッチング方式により形成されるものである。グラビアエッチング方式の場合は凸状模様を有するエンボス版を作製するのは困難であるが、凹条模様を有するエンボス版を作製するのは比較的に容易である。
【００１５】
本発明のエンボス印刷物の製造方法にて使用する原反としては、厚さが２５〜１５０ｇ／ｍ2 の紙又は２５〜１５０ｇ／ｍ2 の紙とアルミニウム箔との積層体が使用される。原反の厚さが２５ｇ／ｍ2 以下の場合はエンボスを形成してもエンボスされた形状を保持することができないし、１５０ｇ／ｍ2 より厚い場合は本発明のエンボス印刷物の製造方法ではシャープなエンボスを行うことが不可能となる。また、アルミニウム箔を積層した原反を使用した場合は、エンボスが形成し易くなるとともに形成されたエンボスの形状が保持されるのでシャープな凸条ないしは凹条を形成することができる。
【００１６】
本発明のエンボス印刷物の製造方法の第１実施形態の概略は図３に示すとおりである。印刷版胴４と圧胴５とファニッシャーロール７とドクターブレード６とインキパン９を備えた印刷ユニットにて、インキパン９内のインキをファニッシャーロール７にて印刷版胴４面に供給し余分なインキをドクターブレード６にて掻き取り、原反10を印刷版胴４と圧胴５間でプレスすることにより原反10に所定の絵柄を印刷し、更に印刷面にオーバープリントにより透明樹脂層を形成した後に、印刷版胴４に替えてエンボス版２を取り付けるとともに圧胴５に替えて所定のゴム硬度を有するエンボス圧胴３を取り付けた後続の印刷ユニットをエンボスユニットとして使用し、絵柄が印刷され透明樹脂層が形成された原反10を、印刷された面がエンボス版２に接するようにエンボス版２とエンボス圧胴３間を通過させて加圧することにより、絵柄を印刷した原反10の印刷絵柄に見当を合わせて凸条のＤＮＰ模様からなるエンボス凸部を形成することができる。
【００１７】
本発明のエンボス印刷物の製造方法の第１実施形態にてエンボスされた原反は、図４に示すとおりであって、ＤＮＰからなる印刷層11が形成されるとともに印刷層11を覆ってオーバープリントにより透明樹脂層12が形成された原反10のＤＮＰからなる印刷層11に対応させて、ＤＮＰの凹条21が形成されたエンボス版２によりエンボスされることにより、原反10のＤＮＰの印刷層11に対応したＤＮＰの凸部13が形成される。第１実施形態のエンボス印刷物の製造方法では、所定の印刷版４とエンボス版２を使用することにより、印刷絵柄に対応した箇所に正確に見当を合わせて凸状のエンボスを形成することができる。
【００１８】
本発明のエンボス印刷物の製造方法の第２実施形態の概略は図５に示すとおりである。印刷機の印刷ユニットとエンボスユニットの構成は第１実施形態を同じであるが、印刷ユニットとエンボスユニット間を原反10が移動するパス内において原反10の表裏を反転するための原反反転装置９が取り付けられている点において異なる構成となっている。第２実施形態の場合は、印刷層11が形成されるとともに印刷層11を覆ってオーバープリントにより透明樹脂層12が形成された原反10の印刷面がエンボス圧胴３面に接するようにエンボス版２とエンボス圧胴３間を通過させて加圧することにより、印刷層を形成した原反10の印刷面に印刷層に見当を合わせて凹条のエンボスを形成することができる。
【００１９】
本発明のエンボス印刷物の製造方法の第２実施形態にてエンボスされた原反は、図６に示すとおりであって、ＤＮＰからなる印刷層11が形成され印刷層11を覆って透明樹脂層12が形成された原反10のＤＮＰからなる印刷層11に対応して、ＤＮＰの凹条模様がエッチングにより形成されたエンボス版２によりエンボスされて、原反10のＤＮＰからなる印刷層11に対応したＤＮＰの凹部14が形成される。第１実施形態のエンボス印刷物の製造方法では、所定の印刷版４とエンボス版２を使用することにより、印刷絵柄に対応した箇所に正確に見当を合わせて凹状のエンボスを形成することができる。
【００２０】
第２実施形態のエンボス印刷物の製造方法において図７に示される工程により製造することもできる。印刷ユニットにより原反10に所定の絵柄を印刷するとともに透明樹脂層を形成した後に、エンボス版２とエンボス圧胴３を備え、エンボス版２が印刷ユニットにおけるのと逆方向に回転するようにされたエンボスユニットを使用して、印刷された原反10をエンボス版２の下側を通して通常の印刷と反対方向にエンボス版２とエンボス圧胴３間を通して原反を加圧することにより、第２実施形態と同様に、印刷絵柄に対応した箇所に正確に見当を合わせて凹状のエンボスを形成することができる。図７に示す工程の場合にはエンボス版２を通常の印刷と逆方向に回転させる装置が必要になる。
【００２１】
本発明のエンボス印刷物の製造方法における使用するエンボス版は、凹条を有するエンボス版であればよく、凹条模様の形状は任意に設定することができる。絵柄の文字の部分のみにエンボスされた凹条ないしは凸条を形成する場合には、文字と同じ形状の凹条模様を形成したエンボス版を使用すればよく、絵柄に対応した所定の箇所にエンボス凹条ないうはエンボス凸条を形成したい場合には、エンボスしたい形状の凹条模様を備えたエンボス版を使用すればよい。
【図面の簡単な説明】
【００２２】
【図１】本発明のエンボス印刷物の製造方法にて使用するエンボス版を示す斜視図。
【図２】図１のＩ−Ｉ線表面部拡大断面図。
【図３】本発明のエンボス印刷物の製造方法の第１実施形態の概略を示す図。
【図４】第１実施形態の方法にて印刷された原反にエンボスを行った断面図。
【図５】本発明のエンボス印刷物の製造方法の第２実施形態の概略を示す図。
【図６】第２実施形態の方法にて印刷された原反にエンボスを行った断面図。
【図７】第２実施形態のエンボス印刷物の製造方法の他の工程の概略を示す図。
【符号の説明】
【００２３】
２  エンボス版
21  凹条
３  エンボス圧胴
４  印刷版
５  圧胴
６  ドクタープレード
７  ファニッシャーロール
８  インキ
９  原反反転装置
10  原反
11  印刷層
12  透明樹脂層
13  エンボス凸部
14  エンボス凹部
Ｌ  凹条の幅
Ｄ  凹条の深さ
【図１】
2007090670.tif 000003
【図２】
2007090670.tif 000004
【図３】
2007090670.tif 000005
【図４】
2007090670.tif 000006
【図５】
2007090670.tif 000007
【図６】
2007090670.tif 000008
【図７】
2007090670.tif 000009